【手続補正書】
【提出日】平成18年4月27日(2006.4.27)
【手続補正１】
【補正対象書類名】明細書
【補正対象項目名】請求項１
【補正方法】変更
【補正の内容】
【請求項１】  車両前端部に配設されて車両前側を内燃機関が搭載された機関室と前記機関室外とに区画するとともに、車両前方側から前記機関室側に空気を導入する空気導入口（１４０）が設けられたフロントエンドパネル（１００）と、
前記空気導入口（１４０）を通過する空気により流体を冷却する冷却用熱交換器（２００）と、
車両前端部に作用する衝撃力を吸収するバンパリーンフォース（４００）を覆うとともに、前記フロントエンドパネル（１００）より車両前方側に配設されたバンパカバー（４１０）とを有し、
前記フロントエンドパネル（１００）には、前記空気導入口（１４０）の外縁部から車両前方側に突出するとともに、先端側が前記バンパカバー（４１０）と所定の隙間（δ１）を有して離隔したパネル壁部（１４１）が設けられ、
前記バンパカバー（４１０）には、前記フロントエンドパネル（１００）側に突出するとともに、先端側が前記フロントエンドパネル（１００）と所定の隙間（δ２）を有して離隔したバンパ壁部（４１１）が設けられており、
さらに、両壁部（１４１、４１１）には、互いに対向して面する対向面（１４４、４１２）が設けられていることを特徴とする車両のフロントエンド構造。
【手続補正２】
【補正対象書類名】明細書
【補正対象項目名】０００５
【補正方法】変更
【補正の内容】
【０００５】
これに対して、衝撃力が作用したときのバンパリーンフォース及びバンパーカバーや意匠グリルの変形量に相当する隙間を、予めダクトの車両前方側端部とバンパリーンフォースや意匠グリルとの間に設けるといった手段が考えられるが、この手段では、ダクトの車両前方側端部とバンパリーンフォースや意匠グリルとの間に設けた隙間から熱気が熱交換器（車両）の前面側に回り込んでしまうので、熱交換器の冷却能力が低下してしまう。
【手続補正３】
【補正対象書類名】明細書
【補正対象項目名】０００８
【補正方法】変更
【補正の内容】
【０００８】
【課題を解決するための手段】
本発明は、上記目的を達成するために、請求項１に記載の発明では、車両前端部に配設されて車両前方側を内燃機関が搭載された機関室と機関室外とに区画するとともに、車両前方側から機関室側に空気を導入する空気導入口（１４０）が設けられたフロントエンドパネル（１００）と、空気導入口（１４０）を通過する空気により流体を冷却する冷却用熱交換器（２００）と、車両前端部に作用する衝撃力を吸収するバンパリーンフォース（４００）を覆うとともに、フロントエンドパネル（１００）より車両前方側に配設されたバンパカバー（４１０）とを有し、フロントエンドパネル（１００）には、空気導入口（１４０）の外縁部から車両前方側に突出するとともに、先端側がバンパカバー（４１０）と所定の隙間（δ１）を有して離隔したパネル壁部（１４１）が設けられ、バンパカバー（４１０）には、フロントエンドパネル（１００）側に突出するとともに、先端側がフロントエンドパネル（１００）と所定の隙間（δ２）を有して離隔したバンパ壁部（４１１）が設けられており、さらに、両壁部（１４１、４１１）には、互いに対向して面する対向面（１４４、４１２）が設けられていることを特徴とする。
【手続補正４】
【補正対象書類名】明細書
【補正対象項目名】０００９
【補正方法】変更
【補正の内容】
【０００９】
これにより、対向面（１４４、４１２）での通風抵抗（圧力損失）により熱気が熱交換器（２００）の前面側に回り込んでしまう（流れ込んでしまう）ことを防止できるので、冷却用熱交換器（２００）の冷却能力が低下してしまうことを防止しつつ、車両前端部に衝撃力が作用したときの損傷を小さくすることができる。
【手続補正５】
【補正対象書類名】明細書
【補正対象項目名】００１０
【補正方法】変更
【補正の内容】
【００１０】
なお、対向面（１４４、４１２）は、隙間を有して離隔した状態又は接触した状態のいずれであってもよい。
【手続補正６】
【補正対象書類名】明細書
【補正対象項目名】００１２
【補正方法】変更
【補正の内容】
【００１２】
これにより、対向面（１４３、３２１）での通風抵抗（圧力損失）により熱気が熱交換器（２００）の前面側に回り込んでしまう（流れ込んでしまう）ことを防止できるので、冷却用熱交換器（２００）の冷却能力が低下してしまうことを防止しつつ、車両前端部に衝撃力が作用したときの損傷を小さくすることができる。
【手続補正７】
【補正対象書類名】明細書
【補正対象項目名】００２０
【補正方法】変更
【補正の内容】
【００２０】
フロントエンドパネル（以下、パネルと略す。）１００は、図２に示すように、上方側に位置して車両幅方向（水平方向）に延びる上方側梁部材１１０、下方側に位置して車両幅方向に延びるとともに、後述する案内ダクト部（パネル壁部１４１）に一部をなす下方側梁部材１２０、左右両側にて上下方向に延びて両梁部材１１０、１２０を連結する柱状の支柱部１３０、両梁部材１１０、１２０及び支柱部１３０に形成された矩形枠状の冷却風導入口（空気導入口）１４０、並びに支柱部１３０の上端側から車両側面側に延びてパネル１００を車両ボディに固定するためのブラケット部１５０が樹脂にて一体形成されたものである。なお、ブラケット部１５０には、図１に示すように、車両前面側を照らす前照灯（ヘッドライト）１６０が組み付けられている。
【手続補正８】
【補正対象書類名】明細書
【補正対象項目名】００２６
【補正方法】変更
【補正の内容】
【００２６】
ところで、バンパカバー４１０には、図３に示すように、パネル１００側に突出するとともに、その先端側がパネル１００と所定の隙間δ１を有して離隔したバンパ壁部４１１が設けられ、同様に、パネル１００のパネル壁部１４１の先端側もバンパカバー４１０と所定の隙間δ２を有して離隔している。
【手続補正９】
【補正対象書類名】明細書
【補正対象項目名】００２７
【補正方法】変更
【補正の内容】
【００２７】
そして、パネル壁部１４１とバンパ壁部４１１とは、車両幅方向（左右方向）から見て両者１４１、４１１の一部が重なるように、互いに対向して面しているとともに、その対向する対向面１４４、４１２は、所定の隙間δ３を有して離隔して迷路構造を構成している。
【手続補正１０】
【補正対象書類名】明細書
【補正対象項目名】００２８
【補正方法】変更
【補正の内容】
【００２８】
また、グリル３００には、図４に示すように、パネル１００側に突出するとともに、その先端側がパネル１００と所定の隙間δ４を有して離隔したグリル壁部３２０が設けられ、同様に、パネル１００のパネル壁１４１の先端側もグリル３００と所定の隙間δ５を有して離隔している。
【手続補正１１】
【補正対象書類名】明細書
【補正対象項目名】００３２
【補正方法】変更
【補正の内容】
【００３２】
本実施形態によれば、パネル壁部１４１とバンパカバー４１０との間、パネル壁部１４１とグリル３００との間、バンパ壁部４１１とパネル１００との間、及びグリル壁部３２０とパネル１００との間に隙間が設けられいるとともに、パネル壁部１４１とバンパ壁部４１１と、並びにパネル壁部１４１とグリル壁部３２０とよって迷路構造が構成されているので、対向面１４４、４１２、１４３、３２１での通風抵抗（圧力損失）が大きくなり、熱気が熱交換器２００（車両）の前面側に回り込んでしまう（流れ込んでしまう）ことを防止しつつ、車両前端部に衝撃力が作用したときの損傷を小さくすることができる。
【手続補正１２】
【補正対象書類名】明細書
【補正対象項目名】００３３
【補正方法】変更
【補正の内容】
【００３３】
なお、衝撃による損傷を十分に小さくするには、隙間δ１の距離ａ、隙間δ２の距離ｂ、隙間δ４の距離ｃ及び隙間δ５の距離ｄを、衝撃力が作用したときのバンパカバー４１０やグリル３００の変形量以上とする必要がある。
【手続補正１３】
【補正対象書類名】明細書
【補正対象項目名】００３５
【補正方法】変更
【補正の内容】
【００３５】
また、対向面１４４、４１２、１４３、３２１は所定の隙間δ３、δ６を有して離隔しているので、パネル１００、グリル３００及びバンパカバー４１０の製造バラツキ及び組み付けバラツキを吸収しながら、熱気が熱交換器２００（車両）の前面側に回り込んでしまう（流れ込んでしまう）ことを防止しつつ、車両前端部に衝撃力が作用したときの損傷を小さくすることができる。
【手続補正１４】
【補正対象書類名】明細書
【補正対象項目名】００３６
【補正方法】変更
【補正の内容】
【００３６】
なお、製造バラツキや組み付けバラツキにより対向面１４４、４１２、１４３、３２１が接触しても実用上問題ない。
【手続補正１５】
【補正対象書類名】明細書
【補正対象項目名】００３８
【補正方法】変更
【補正の内容】
【００３８】
これにより、対向面１４４、４１２、１４３、３２１での通風抵抗（圧力損失）が大きくなる（迷路部の道のりが長くなる）ので、より確実に熱気が熱交換器２００（車両）の前面側に回り込んでしまう（流れ込んでしまう）ことを防止しできる。
【手続補正１６】
【補正対象書類名】明細書
【補正対象項目名】００３９
【補正方法】変更
【補正の内容】
【００３９】
（その他の実施形態）
上述の実施形態では、対向面１４４、４１２、１４３、３２１は所定の隙間δ３、δ６を有して離隔していたが、隙間δ３、δ６を廃止して対向面１４２、４１２、１４３、３２１を接触させてもよい。
【手続補正１７】
【補正対象書類名】図面
【補正対象項目名】図３
【補正方法】変更
【補正の内容】
【図３】
2001278115.tif 000001
【手続補正１８】
【補正対象書類名】図面
【補正対象項目名】図４
【補正方法】変更
【補正の内容】
【図４】
2001278115.tif 000002
【手続補正１９】
【補正対象書類名】図面
【補正対象項目名】図５
【補正方法】変更
【補正の内容】
【図５】
2001278115.tif 000003
【手続補正２０】
【補正対象書類名】図面
【補正対象項目名】図６
【補正方法】変更
【補正の内容】
【図６】
2001278115.tif 000004
【手続補正２１】
【補正対象書類名】明細書
【補正対象項目名】図７
【補正方法】変更
【補正の内容】
【図７】
2001278115.tif 000005